(57)【特許請求の範囲】
【請求項１】
パーティションであって、
正面視において互いに平行な、第１の辺及び第２の辺を有する平板状の背面体と、
前記第１の辺の少なくとも一部である第１の基部から、前記背面体に略直交する方向へ延在する平板状の第１の側面体と、
前記第２の辺の少なくとも一部である第２の基部から、前記背面体に略直交する方向へ延在する平板状の第２の側面体と、
を備え、
前記第１の側面体の内部には、当該第１の側面体内部空間が形成され、
前記背面体の内部には、前記第１の側面体内部空間と連通する背面体内部空間が形成され、
前記第２の側面体の内部には、前記背面体内部空間と連通する第２の側面体内部空間が形成され、
前記第１の側面体の先端部には、前記第１の側面体内部空間と連通し、且つ、前記第２の側面体の先端部へ向けて開口する吹出口が形成され、
前記第２の側面体の先端部には、前記第２の側面体内部空間と連通し、且つ、前記吹出口から吹き出された空気を吸い込むように、当該吹出口へ向けて開口する吸込口が形成され、
前記パーティションは、更に、
前記背面体内部空間、前記第１の側面体内部空間、及び、前記第２の側面体内部空間からなる内部空間において、前記吸込口から前記吹出口へ送風する送風手段を備え、
前記第１の辺、及び、前記第２の辺が鉛直方向に沿って伸びるように形成され、
前記第１の基部は、前記第１の辺の鉛直上方向側の一端から、当該第１の辺の他端よりも当該一端側の位置までの部分であり、
前記第２の基部は、前記第２の辺の鉛直上方向側の一端から、当該第２の辺の他端よりも当該一端側の位置までの部分である、
パーティション。
【請求項２】
請求項１に記載のパーティションであって、
透明であるとともに、鉛直下方向側にて前記第１の側面体と連接し且つ当該第１の側面体と同一の平面を形成する平板状の第１の補助体と、
透明であるとともに、鉛直下方向側にて前記第２の側面体と連接し且つ当該第２の側面体と同一の平面を形成する平板状の第２の補助体と、
を備えるパーティション。
【請求項３】
パーティションであって、
正面視において互いに平行な、第１の辺及び第２の辺を有する平板状の背面体と、
前記第１の辺の少なくとも一部である第１の基部から、前記背面体に略直交する方向へ延在する平板状の第１の側面体と、
前記第２の辺の少なくとも一部である第２の基部から、前記背面体に略直交する方向へ延在する平板状の第２の側面体と、
を備え、
前記第１の側面体の内部には、当該第１の側面体内部空間が形成され、
前記背面体の内部には、前記第１の側面体内部空間と連通する背面体内部空間が形成され、
前記第２の側面体の内部には、前記背面体内部空間と連通する第２の側面体内部空間が形成され、
前記第１の側面体の先端部には、前記第１の側面体内部空間と連通し、且つ、前記第２の側面体の先端部へ向けて開口する吹出口が形成され、
前記第２の側面体の先端部には、前記第２の側面体内部空間と連通し、且つ、前記吹出口から吹き出された空気を吸い込むように、当該吹出口へ向けて開口する吸込口が形成され、
前記パーティションは、更に、
前記背面体内部空間、前記第１の側面体内部空間、及び、前記第２の側面体内部空間からなる内部空間において、前記吸込口から前記吹出口へ送風する送風手段と、
前記第１の辺と平行な方向から見た場合において、ユーザの少なくとも一部が、前記吹出口と前記吸込口とを結ぶ直線よりも前記背面体側の予め定められた検出位置に位置しているか否かを検出するユーザ検出手段と、
前記ユーザの少なくとも一部が前記検出位置に位置していないと検出されていた状態から、当該ユーザの少なくとも一部が当該検出位置に位置していると検出された状態へ変化した場合、前記送風手段による送風を開始する送風制御手段と、
を備えるパーティション。
【請求項４】
請求項３に記載のパーティションであって、
前記送風制御手段は、前記ユーザの少なくとも一部が前記検出位置に位置していると検出されていた状態から、当該ユーザの少なくとも一部が当該検出位置に位置していないと検出された状態へ変化した場合、前記送風手段による送風を停止するように構成されたパーティション。
【請求項５】
パーティションであって、
正面視において互いに平行な、第１の辺及び第２の辺を有する平板状の背面体と、
前記第１の辺の少なくとも一部である第１の基部から、前記背面体に略直交する方向へ延在する平板状の第１の側面体と、
前記第２の辺の少なくとも一部である第２の基部から、前記背面体に略直交する方向へ延在する平板状の第２の側面体と、
を備え、
前記第１の側面体の内部には、当該第１の側面体内部空間が形成され、
前記背面体の内部には、前記第１の側面体内部空間と連通する背面体内部空間が形成され、
前記第２の側面体の内部には、前記背面体内部空間と連通する第２の側面体内部空間が形成され、
前記第１の側面体の先端部には、前記第１の側面体内部空間と連通し、且つ、前記第２の側面体の先端部へ向けて開口する吹出口が形成され、
前記第２の側面体の先端部には、前記第２の側面体内部空間と連通し、且つ、前記吹出口から吹き出された空気を吸い込むように、当該吹出口へ向けて開口する吸込口が形成され、
前記パーティションは、更に、
前記背面体内部空間、前記第１の側面体内部空間、及び、前記第２の側面体内部空間からなる内部空間において、前記吸込口から前記吹出口へ送風する送風手段を備え、
前記送風手段は、第１のファンと、当該第１のファンよりも前記吹出口側に配置された第２のファンと、を備え、
前記第２のファンの風量が前記第１のファンの風量よりも小さくなるように構成された、
パーティション。
【請求項６】
請求項１乃至５のいずれかに記載のパーティションであって、
前記第１の側面体の、前記背面体に直交する方向における長さが、前記第２の側面体の、当該背面体に直交する方向における長さよりも短くなるように形成されたパーティション。
【請求項７】
請求項１乃至６のいずれかに記載のパーティションであって、
前記第１の側面体と前記背面体との間の角度が、９０度よりも大きくなるように形成されたパーティション。
【請求項８】
請求項１乃至７のいずれかに記載のパーティションであって、
前記第２の側面体の先端部の前記第１の側面体側の面は、前記第２の辺と平行な方向から見た場合において、基端から先端へ向かうにつれて当該第１の側面体側へ、屈曲又は湾曲するように形成されたパーティション。
【請求項９】
請求項１乃至８のいずれかに記載のパーティションであって、
前記吹出口の開口形状は、前記第１の辺と平行な方向に伸びるスリット状であるパーティション。
【請求項１０】
請求項１乃至９のいずれかに記載のパーティションであって、
前記第１の側面体の、前記第１の辺と平行な方向における長さと、前記第２の側面体の、前記第２の辺と平行な方向における長さと、が略等しくなるように形成されたパーティション。
【請求項１１】
請求項１又は３に記載のパーティションであって、
前記背面体の、前記第１の側面体及び前記第２の側面体が伸びる方向と反対側の面、並びに、前記第１の側面体の、前記第２の側面体側と反対側の面、の少なくとも一方には、前記内部空間における、前記送風手段と前記吹出口との間の位置にて、当該内部空間と連通し且つ開口する調整口が形成されたパーティション。
【請求項１２】
請求項１１に記載のパーティションであって、
前記調整口を通過する空気の流量を調整する流量調整手段を備えるパーティション。
【発明の詳細な説明】
【技術分野】
【０００１】
本発明は、パーティションに関する。
【背景技術】
【０００２】
空気清浄機能を有するパーティションが知られている。この種のパーティションの一つとして特許文献１に記載のパーティションは、平板状に形成されている。パーティションの内部には、内部空間が形成されている。
【０００３】
パーティションの前面及び背面のそれぞれには、内部空間と連通する、吸込口及び吹出口が形成されている。吸込口は、鉛直下方向側の端部に配置されている。吹出口は、吸込口よりも鉛直上方向側に配置されている。更に、パーティションは、内部空間において、吸込口から吹出口へ送風する送風機を備える。
【０００４】
この種のパーティションは、例えば、病院等において用いられる。具体的には、パーティションは、互いに対面するように座った、複数の人（例えば、医師及び患者）のいずれかの背後に設置される。これにより、一方の人から他方の人へ風が送られる。この結果、風下側に位置する人が、ウィルス又は菌等を発した場合であっても、ウィルス又は菌等が風上側に位置する人へ到達する可能性を低減することができる。
【先行技術文献】
【特許文献】
【０００５】
【特許文献１】特開２００２−３２３２４１号公報
【発明の概要】
【発明が解決しようとする課題】
【０００６】
ところで、上記パーティションによれば、当該パーティションのユーザに風が当たる。従って、ユーザが風を不快に感じる可能性が比較的高い。また、上記パーティションによれば、風上側に位置する人が、ウィルス又は菌等を発した場合、ウィルス又は菌等が風下側に位置する人へ到達する可能性が比較的高い。即ち、風下側に位置する人は、ウィルス又は菌等に感染するリスクが比較的高い。
【０００７】
このように、上記パーティションによれば、ユーザに直接に比較的多量の風が当たるとともに、いずれかのユーザがウィルス又は菌等に感染するリスクが比較的高い、という問題があった。
【０００８】
このため、本発明の目的は、上述した課題である「ユーザに直接に比較的多量の風が当たること、及び、いずれかのユーザがウィルス又は菌等に感染するリスクが比較的高いこと」を解決することが可能なパーティションを提供することにある。
【課題を解決するための手段】
【０００９】
かかる目的を達成するため本発明の一形態であるパーティションは、
正面視において互いに平行な、第１の辺及び第２の辺を有する平板状の背面体と、
上記第１の辺の少なくとも一部である第１の基部から、上記背面体に略直交する方向へ延在する平板状の第１の側面体と、
上記第２の辺の少なくとも一部である第２の基部から、上記背面体に略直交する方向へ延在する平板状の第２の側面体と、
を備え、
上記第１の側面体の内部には、当該第１の側面体内部空間が形成され、
上記背面体の内部には、上記第１の側面体内部空間と連通する背面体内部空間が形成され、
上記第２の側面体の内部には、上記背面体内部空間と連通する第２の側面体内部空間が形成され、
上記第１の側面体の先端部には、上記第１の側面体内部空間と連通し、且つ、上記第２の側面体の先端部へ向けて開口する吹出口が形成され、
上記第２の側面体の先端部には、上記第２の側面体内部空間と連通し、且つ、上記吹出口から吹き出された空気を吸い込むように、当該吹出口へ向けて開口する吸込口が形成され、
上記パーティションは、更に、
上記背面体内部空間、上記第１の側面体内部空間、及び、上記第２の側面体内部空間からなる内部空間において、上記吸込口から上記吹出口へ送風する送風手段を備える。
【発明の効果】
【００１０】
本発明は、以上のように構成されることにより、ユーザに当たる風を抑制するとともに、ウィルス又は菌等に感染するリスクをユーザのすべてに対して低減することができる。
【図面の簡単な説明】
【００１１】
【図１】本発明の第１実施形態に係るパーティションの正面図である。
【図２】本発明の第１実施形態に係るパーティションの背面図である。
【図３】本発明の第１実施形態に係るパーティションの右側面図である。
【図４】本発明の第１実施形態に係るパーティションの平面図である。
【図５】本発明の第１実施形態に係るパーティションを、図１乃至図３のＶ−Ｖ線により切断した断面図である。
【図６】本発明の第１実施形態に係るパーティションを、図１、図２、及び、図４のＶＩ−ＶＩ線により切断した断面図である。
【図７】本発明の第１実施形態に係るパーティションを、図１、図２、及び、図４のＶＩＩ−ＶＩＩ線により切断した断面図である。
【図８】本発明の第２実施形態に係るパーティションの平面図である。
【図９】本発明の第３実施形態に係るパーティションの右側面図である。
【図１０】本発明の第４実施形態に係るパーティションの正面図である。
【図１１】本発明の第４実施形態に係るパーティションの右側面図である。
【図１２】本発明の第５実施形態に係るパーティションを、図１乃至図３のＶ−Ｖ線により切断した断面図である。
【発明を実施するための形態】
【００１２】
以下、本発明に係るパーティションの各実施形態について図１〜図１２を参照しながら説明する。
【００１３】
＜第１実施形態＞
（構成）
図１乃至図４に示したように、第１実施形態に係るパーティション１は、背面体１１と、第１の側面体１２と、第２の側面体１３と、を備える。以下、Ｘ軸、Ｙ軸及びＺ軸からなる右手系の直交座標系を用いて説明を続ける。本例では、Ｚ軸正方向は、鉛直上方向である。
【００１４】
本例では、パーティション１は、第１の側面体１２、及び、第２の側面体１３のそれぞれが、背面体１１に着脱可能に組み付けられることにより形成されている。なお、パーティション１は、背面体１１、第１の側面体１２、及び、第２の側面体１３が一体に形成されることにより形成されていてもよい。
【００１５】
背面体１１は、Ｙ軸方向において一定の厚さを有する平板状の部材である。背面体１１は、正面視（即ち、Ｙ軸負方向へ向かって背面体１１を見た場合）において、Ｚ軸方向に沿って伸びる、互いに平行な一対の辺と、Ｘ軸方向に沿って伸びる、互いに平行な一対の辺と、を有する長方形状を有する。
【００１６】
本例では、背面体１１のＹ軸正方向側の表面におけるＸ軸負方向側の端部は、第１の辺と呼ばれる。また、背面体１１のＹ軸正方向側の表面におけるＸ軸正方向側の端部は、第２の辺と呼ばれる。即ち、背面体１１は、正面視（即ち、Ｙ軸負方向へ向かって背面体１１を見た場合）において互いに平行な、第１の辺及び第２の辺を有する平板状である、と言うことができる。また、第１の辺、及び、第２の辺は、鉛直方向（本例では、Ｚ軸方向）に沿って伸びている。
【００１７】
第１の側面体１２は、Ｘ軸方向において一定の厚さを有する平板状の部材である。第１の側面体１２は、正面視（即ち、Ｘ軸負方向へ向かって第１の側面体１２を見た場合）において、Ｚ軸方向に沿って伸びる、互いに平行な一対の辺と、Ｙ軸方向に沿って伸びる、互いに平行な一対の辺と、を有する長方形状を有する。
【００１８】
第１の側面体１２のＺ軸方向における長さは、背面体１１のＺ軸方向における長さと同じである。
第１の側面体１２は、第１の辺の全体である第１の基部から、背面体に直交する方向（本例では、Ｙ軸正方向）へ延在する。
【００１９】
第２の側面体１３は、Ｘ軸方向において一定の厚さを有する平板状の部材である。第２の側面体１３は、正面視（即ち、Ｘ軸正方向へ向かって第２の側面体１３を見た場合）において、Ｚ軸方向に沿って伸びる、互いに平行な一対の辺と、Ｙ軸方向に沿って伸びる、互いに平行な一対の辺と、を有する長方形状を有する。
【００２０】
第２の側面体１３のＺ軸方向における長さは、背面体１１のＺ軸方向における長さと同じである。即ち、パーティション１は、第１の側面体１２の、第１の辺と平行な方向における長さと、第２の側面体１３の、第２の辺と平行な方向における長さと、が等しくなるように形成されている。
【００２１】
第２の側面体１３は、第２の辺の全体である第２の基部から、背面体１１に直交する方向（本例では、Ｙ軸正方向）へ延在する。
また、本例では、第１の側面体１２の、背面体１１に直交する方向（即ち、Ｙ軸方向）における長さは、第２の側面体１３の、背面体１１に直交する方向（即ち、Ｙ軸方向）における長さよりも短い。
【００２２】
図１乃至図３のＶ−Ｖ線によりパーティション１を切断した断面図である図５に示したように、背面体１１、第１の側面体１２、及び、第２の側面体１３のそれぞれは、薄板により形成されることにより、内部には内部空間が形成されている。
【００２３】
具体的に述べると、第１の側面体１２の内部には、第１の側面体内部空間ＳＰ１が形成されている。更に、背面体１１の内部には、第１の側面体内部空間ＳＰ１と連通する背面体内部空間ＳＰ２が形成されている。加えて、第２の側面体１３の内部には、背面体内部空間ＳＰ２と連通する第２の側面体内部空間ＳＰ３が形成されている。
【００２４】
第１の側面体１２の先端部（即ち、Ｙ軸正方向側の端部）には、第１の側面体内部空間ＳＰ１と連通し、且つ、第２の側面体１３の先端部へ向けて（即ち、Ｘ軸正方向側の壁面にて）開口する吹出口１２ａが形成されている。
【００２５】
図１、図２、及び、図４のＶＩ−ＶＩ線によりパーティション１を切断した断面図である図６に示したように、吹出口１２ａの開口形状は、第１の辺と平行な方向（即ち、Ｚ軸方向）に伸びるスリット状である。
【００２６】
また、第２の側面体１３の先端部（即ち、Ｙ軸正方向側の端部）には、第２の側面体内部空間ＳＰ３と連通し、且つ、吹出口１２ａから吹き出された空気を吸い込むように、吹出口１２ａへ向けて（即ち、Ｘ軸負方向側の壁面にて）開口する複数（本例では、４つ）の吸込口１３ａが形成されている。
【００２７】
図１、図２、及び、図４のＶＩＩ−ＶＩＩ線によりパーティション１を切断した断面図である図７に示したように、各吸込口１３ａの開口形状は、第２の辺と平行な方向（即ち、Ｚ軸方向）に伸びるスリット状である。
【００２８】
複数の吸込口１３ａは、Ｙ軸方向において等間隔に配置されている。複数の吸込口１３ａのうちの最もＹ軸負方向側に位置している吸込口１３ａと背面体１１との間の距離は、吹出口１２ａと背面体１１との間の距離と等しい。
【００２９】
本例では、第１の側面体１２は、吹出口１２ａから吹き出される空気を、複数の吸込口１３ａのＹ軸方向における中心へ向けて誘導するように構成された図示しないノズルを備える。
【００３０】
更に、背面体１１は、フィルタ１１ａと、複数（本例では、２つ）のファン１１ｂ１，１１ｂ２と、を備える。
フィルタ１１ａは、通過する空気に含まれる、塵埃（ウィルス及び菌等を含む微粒子（パーティクル）、塵、埃、糸屑、並びに、髪の毛等）を捕集する。
【００３１】
フィルタ１１ａは、背面体内部空間ＳＰ２を、第１の側面体内部空間ＳＰ１と連通する第１の部分空間と、第２の側面体内部空間ＳＰ３と連通する第２の部分空間と、に区画するように、背面体内部空間ＳＰ２にて背面体１１に配設されている。このような構成により、吸込口１３ａから吸い込まれた空気は、フィルタ１１ａを通過することにより第１の側面体内部空間ＳＰ１に到達し、その後、吹出口１２ａから吹き出される。
【００３２】
各ファン１１ｂ１，１１ｂ２は、遠心ファンである。なお、各ファン１１ｂ１，１１ｂ２は、軸流ファンであってもよい。
ファン（第１のファン）１１ｂ１は、第２の部分空間にて背面体１１に配設されている。ファン１１ｂ１は、第２の部分空間内の空気を吸い込み、吸い込んだ空気をフィルタ１１ａへ（即ち、第１の部分空間へ向けて）吹き出す。
【００３３】
ファン（第２のファン）１１ｂ２は、第１の部分空間にて背面体１１に配設されている。ファン１１ｂ２は、フィルタ１１ａを通過した空気を吸い込み、吸い込んだ空気を第１の側面体内部空間ＳＰ１へ向けて吹き出す。
【００３４】
即ち、第２のファン１１ｂ２は、第１のファン１１ｂ１よりも吹出口１２ａ側（下流）に配置されている。また、本例では、各ファン１１ｂ１，１１ｂ２は、風量が同一となる（即ち、第２のファン１１ｂ２の風量が第１のファン１１ｂ１の風量と等しくなる）ように構成されている。
【００３５】
このような構成により、複数のファン１１ｂ１，１１ｂ２は、背面体内部空間ＳＰ２、第１の側面体内部空間ＳＰ１、及び、第２の側面体内部空間ＳＰ３からなる内部空間において、吸込口１３ａから吹出口１２ａへ送風する。即ち、複数のファン１１ｂ１，１１ｂ２は、送風手段を構成している。なお、パーティション１は、１つのファンのみを備えていてもよい。また、パーティション１は、３つ以上のファンを備えていてもよい。
【００３６】
また、図１、図４、及び、図６に示したように、パーティション１は、人感センサ（ユーザ検出手段）１２ｂを備える。
【００３７】
人感センサ１２ｂは、赤外線を用いることにより、予め定められた位置における人の有無を検出するセンサである。なお、人感センサ１２ｂは、赤外線に代えて、超音波、又は、可視光を用いるように構成されたセンサであってもよい。
【００３８】
人感センサ１２ｂは、第１の側面体１２のうちのＸ軸正方向側の壁面に配設されている。人感センサ１２ｂは、第１の側面体１２のうちのＹ軸方向における中央部、且つ、第１の側面体１２のうちのＺ軸正方向側の端部に配置されている。
【００３９】
本例では、人感センサ１２ｂは、背面体１１のＹ軸正方向側にて背面体１１と近接するように配置された椅子Ｃに座ったユーザＵの頭部に赤外線が当たるように配置されている。なお、人感センサ１２ｂは、背面体１１のＹ軸正方向側にて背面体１１と近接するように配置された椅子Ｃに座ったユーザＵの頭部以外の上半身に赤外線が当たるように配置されていてもよい。
【００４０】
このような構成により、人感センサ１２ｂは、第１の辺と平行な方向から見た場合（即ち、Ｚ軸負方向へ向かってパーティション１を見た場合）において、ユーザＵの少なくとも一部（本例では、上半身）が、吹出口１２ａと吸込口１３ａとを結ぶ直線よりも背面体１１側の予め定められた検出位置に位置しているか否かを検出する。
【００４１】
更に、パーティション１は、図示しない制御装置（送風制御手段）を備える。制御装置は、ユーザＵの少なくとも一部（本例では、上半身）が上記検出位置に位置していないと検出されていた状態から、ユーザＵの少なくとも一部が当該検出位置に位置していると検出された状態へ変化した場合、ファン１１ｂ１，１１ｂ２による送風を開始する。本例では、制御装置は、ファン１１ｂ１，１１ｂ２への電力の供給を開始することにより送風を開始する。
【００４２】
本例では、制御装置は、ユーザＵの少なくとも一部が上記検出位置に位置していないと検出されていた状態から、ユーザＵの少なくとも一部が当該検出位置に位置していると検出された状態へ変化した時点にて、ファン１１ｂ１，１１ｂ２による送風を開始する。なお、制御装置は、当該時点から、予め設定された待機時間（例えば、５秒）が経過した時点にて送風を開始するように構成されていてもよい。
【００４３】
また、制御装置は、ユーザＵの少なくとも一部が上記検出位置に位置していると検出されていた状態から、ユーザＵの少なくとも一部が当該検出位置に位置していないと検出された状態へ変化した場合、ファン１１ｂ１，１１ｂ２による送風を停止する。本例では、制御装置は、ファン１１ｂ１，１１ｂ２への電力の供給を停止することにより送風を停止する。
【００４４】
本例では、制御装置は、ユーザＵの少なくとも一部が上記検出位置に位置していると検出されていた状態から、ユーザＵの少なくとも一部が当該検出位置に位置していないと検出された状態へ変化した時点にて、ファン１１ｂ１，１１ｂ２による送風を停止する。なお、制御装置は、当該時点から、予め設定された待機時間（例えば、１０秒）が経過した時点にて送風を停止するように構成されていてもよい。
【００４５】
（作動）
次に、上述したパーティション１の作動について説明する。
先ず、ユーザＵがパーティション外の位置に位置し、且つ、ファン１１ｂ１，１１ｂ２が停止している場合を想定する。
【００４６】
パーティション内の位置は、第１の辺と平行な方向から見た場合（即ち、Ｚ軸負方向へ向かってパーティション１を見た場合）において、吹出口１２ａと吸込口１３ａとを結ぶ直線よりも背面体１１側の、パーティション１により取り囲まれた位置である。一方、パーティション外の位置は、パーティション内の位置以外の位置である。
【００４７】
ユーザＵは、第１の側面体１２の先端の外周を回り込んで、パーティション外の位置からパーティション内の位置へ移動する。そして、ユーザＵは、椅子Ｃに座る。本例では、パーティション外の位置のうちの、椅子Ｃに座ったユーザＵ（第１のユーザ）と対面する位置にも、図示しない椅子が配置され、且つ、当該椅子にユーザＵ以外のユーザ（第２のユーザ）が座っている場合を想定する。
【００４８】
ユーザＵが椅子Ｃに座ると、人感センサ１２ｂは、ユーザＵの少なくとも一部が上記検出位置に位置していると検出する。これにより、制御装置は、ユーザＵの少なくとも一部（本例では、上半身）が上記検出位置に位置していないと検出されていた状態から、ユーザＵの少なくとも一部が当該検出位置に位置していると検出された状態へ変化したと判定する。
【００４９】
その結果、制御装置は、ファン１１ｂ１，１１ｂ２への電力の供給を開始する。これにより、ファン１１ｂ１，１１ｂ２は、送風を開始する。従って、空気が吹出口１２ａから吸込口１３ａへ向けて吹き出される。吹き出された空気は、吸込口１３ａから吸い込まれる。吸い込まれた空気は、第２の側面体内部空間ＳＰ３、第２の部分空間、フィルタ１１ａ、第１の部分空間、及び、第１の側面体内部空間ＳＰ１を、この順に通過した後、再び、吹出口１２ａから吹き出される。
【００５０】
これにより、第１のユーザと第２のユーザとの間の空気の流れは遮断される。この結果、第１のユーザ及び第２のユーザの一方から発せられたウィルス又は菌等が、第１のユーザ及び第２のユーザの他方へ到達する可能性を低減することができる。更に、第１のユーザ、及び、第２のユーザのいずれにも、直接に比較的多量の風が当たることを回避することができる。
【００５１】
その後、ユーザＵは、第１の側面体１２の先端の外周を回り込んで、パーティション内の位置からパーティション外の位置へ移動する。これにより、人感センサ１２ｂは、ユーザＵの少なくとも一部が上記検出位置に位置していないと検出する。これにより、制御装置は、ユーザＵの少なくとも一部（本例では、上半身）が上記検出位置に位置していると検出されていた状態から、ユーザＵの少なくとも一部が当該検出位置に位置していないと検出された状態へ変化したと判定する。
【００５２】
その結果、制御装置は、ファン１１ｂ１，１１ｂ２への電力の供給を停止する。これにより、ファン１１ｂ１，１１ｂ２は、送風を停止する。従って、空気が吹出口１２ａから吹き出されなくなる。
【００５３】
以上、説明したように、本発明の第１実施形態に係るパーティション１によれば、第１の辺と平行な方向から見た場合において、吹出口１２ａと吸込口１３ａとを結ぶ直線を挟んで、第１のユーザと第２のユーザとが対面するように位置している場合、吹出口１２ａから吸込口１３ａへ流れる空気の流れによって、第１のユーザと第２のユーザとの間の空気の流れは遮断される。これにより、第１のユーザ及び第２のユーザの一方から発せられたウィルス又は菌等が、第１のユーザ及び第２のユーザの他方へ到達する可能性を低減することができる。
【００５４】
更に、本発明の第１実施形態に係るパーティション１によれば、第１のユーザ、及び、第２のユーザのいずれにも、直接に比較的多量の風が当たることを回避することができる。
このように、上記パーティション１によれば、ユーザに当たる風を抑制するとともに、ウィルス又は菌等に感染するリスクをユーザのすべてに対して低減することができる。
【００５５】
更に、本発明の第１実施形態に係るパーティション１は、第１の側面体１２の、背面体１１に直交する方向における長さが、第２の側面体１３の、背面体１１に直交する方向における長さよりも短くなるように形成される。
【００５６】
ところで、吹出口１２ａから吹き出された空気は、空気が流れる方向に直交する方向において拡散しながら、第２の側面体１３の先端部へ到達する。ところで、パーティション１は、第２の側面体１３の方が長い。従って、吹出口１２ａから吹き出された空気が、吸込口１３ａから吸い込まれる量を多くすることができる。この結果、吹出口１２ａから吸込口１３ａへの空気の流れ以外の空気の流れをより一層抑制することができる。
【００５７】
また、上記パーティション１は、第１の側面体１２の方が短い。従って、ユーザは、パーティション内の位置とパーティション外の位置との間を、第１の側面体１２の先端の外周を回り込んで容易に移動することができる。
【００５８】
更に、本発明の第１実施形態に係るパーティション１は、ユーザの少なくとも一部が検出位置に位置していないと検出されていた状態から、当該ユーザの少なくとも一部が当該検出位置に位置していると検出された状態へ変化した場合、送風を開始する。
【００５９】
これによれば、パーティション１は、ユーザがパーティション外の位置からパーティション内の位置へ移動した場合、自動的に送風を開始する。これにより、ユーザがウィルス又は菌等に感染するリスクを、より一層確実に低減することができる。
【００６０】
更に、本発明の第１実施形態に係るパーティション１は、ユーザの少なくとも一部が検出位置に位置していると検出されていた状態から、当該ユーザの少なくとも一部が当該検出位置に位置していないと検出された状態へ変化した場合、送風を停止する。
【００６１】
これによれば、パーティション１は、ユーザがパーティション内の位置からパーティション外の位置へ移動した場合、自動的に送風を停止する。これにより、無駄に送風が行われることを回避することができる。
【００６２】
なお、第１実施形態の変形例に係るパーティション１は、パーティション１を水平方向にて移動可能とするように、キャスターを備えていてもよい。キャスターは、パーティション１の底面（Ｚ軸負方向側の面）に配設される。
【００６３】
また、第１実施形態の他の変形例に係るパーティション１において、各ファン１１ｂ１，１１ｂ２は、第２のファン１１ｂ２の風量が第１のファン１１ｂ１の風量よりも小さくなるように構成されていてもよい。例えば、パーティション１は、第２のファン１１ｂ２の回転数を第１のファン１１ｂ１の回転数よりも小さくするように構成されることが好適である。
【００６４】
これによれば、第２のファン１１ｂ２の風量が第１のファン１１ｂ１の風量と等しい場合よりも、吹出口１２ａから吹き出される空気の量が低減されるので、吹出口１２ａから吹き出される空気の量が過度に多くなることを防止することができる。この結果、ユーザに当たる風が比較的強くなることを防止することができる。
【００６５】
＜第２実施形態＞
次に、本発明の第２実施形態に係るパーティションについて説明する。第２実施形態に係るパーティションは、上記第１実施形態に係るパーティションに対して、主として、第１の側面体と背面体との間の角度が、９０度よりも大きくなるように形成される点において相違している。従って、以下、かかる相違点を中心として説明する。
【００６６】
第２実施形態に係るパーティション１は、図８に示したように、第１の側面体１２と背面体１１との間の角度θが、９０度よりも大きくなるように形成されている。
【００６７】
これによれば、ユーザがパーティション内の位置に位置している場合において、第１の側面体１２が見えることによりユーザが感じる圧迫感を、第１の側面体１２と背面体１１との間の角度が９０度である場合よりも抑制することができる。
【００６８】
更に、上記のように構成されたパーティション１によれば、ユーザは、第１の側面体１２と背面体１１との間の角度が９０度である場合よりも、より一層容易に、パーティション内の位置とパーティション外の位置との間を移動することができる。
【００６９】
更に、第２の側面体１３の先端部の第１の側面体１２側の面１３ｂは、第２の辺と平行な方向から見た場合（即ち、Ｚ軸負方向へ向かってパーティション１を見た場合）において、基端から先端（即ち、Ｙ軸正方向）へ向かうにつれて第１の側面体１２側へ、屈曲するように形成されている。
【００７０】
なお、第２の側面体１３の先端部の第１の側面体１２側の面１３ｂは、第２の辺と平行な方向から見た場合（即ち、Ｚ軸負方向へ向かってパーティション１を見た場合）において、基端から先端（即ち、Ｙ軸正方向）へ向かうにつれて第１の側面体１２側へ、湾曲するように形成されていてもよい。
【００７１】
これによれば、吹出口１２ａから吹き出された空気が、吸込口１３ａから吸い込まれる量をより一層多くすることができる。この結果、吹出口１２ａから吸込口１３ａへの空気の流れ以外の空気の流れをより一層確実に抑制することができる。
【００７２】
なお、第２実施形態の変形例に係るパーティション１は、第２の側面体１３の先端部の第１の側面体１２側の面１３ｂは、第２の辺と平行な方向から見た場合（即ち、Ｚ軸負方向へ向かってパーティション１を見た場合）において、屈曲しないように（即ち、１つの平面を構成するように）形成されていてもよい。
【００７３】
また、第２実施形態の他の変形例に係るパーティション１は、パーティション１を水平方向にて移動可能とするように、キャスターを備えていてもよい。キャスターは、パーティション１の底面（Ｚ軸負方向側の面）に配設される。
【００７４】
＜第３実施形態＞
次に、本発明の第３実施形態に係るパーティションについて説明する。第３実施形態に係るパーティションは、上記第２実施形態に係るパーティションに対して、第１の側面体、及び、第２の側面体のそれぞれの鉛直方向における長さが、背面体よりも短く、且つ、第１の側面体、及び、第２の側面体のそれぞれがパーティション１の側面のうちの鉛直上方向側の部分を構成している点において相違している。従って、以下、かかる相違点を中心として説明する。
【００７５】
第１の側面体１２は、第１の辺の鉛直上方向側の一端から、第１の辺の他端（鉛直下方向側の端）よりも当該一端（鉛直上方向側の端）側の位置（本例では、第１の辺の中央部の位置）までの部分である第１の基部から延在する。即ち、第１の側面体１２の鉛直方向における長さは、背面体１１の鉛直方向における長さよりも短い。更に、第１の側面体１２は、パーティション１の側面のうちの鉛直上方向側の部分を構成している。
【００７６】
第２の側面体１３は、第２の辺の鉛直上方向側の一端から、第２の辺の他端（鉛直下方向側の端）よりも当該一端（鉛直上方向側の端）側の位置（本例では、第２の辺の中央部の位置）までの部分である第２の基部から延在する。即ち、第２の側面体１３の鉛直方向における長さは、背面体１１の鉛直方向における長さよりも短い。更に、第２の側面体１３は、パーティション１の側面のうちの鉛直上方向側の部分を構成している。
【００７７】
これによれば、第１の基部が第１の辺の全体である場合よりも、第１の側面体１２が見えることによりユーザが感じる圧迫感を抑制することができる。更に、第２の基部が第２の辺の全体である場合よりも、第２の側面体１３が見えることによりユーザが感じる圧迫感を抑制することができる。
【００７８】
更に、第３実施形態に係るパーティション１は、第１の脚部１２ｃと、第２の脚部１３ｃと、を備える。第１の脚部１２ｃは、四角柱状の部材である。
第１の脚部１２ｃは、第１の側面体１２のＺ軸負方向側の面のうちのＹ軸正方向側の端部からＺ軸負方向へ延在している。第１の脚部１２ｃの鉛直方向における長さは、背面体１１の鉛直方向における長さから、第１の側面体１２の鉛直方向における長さを減じた長さである。
【００７９】
第２の脚部１３ｃは、第２の側面体１３のＺ軸負方向側の面のうちのＹ軸正方向側の端部からＺ軸負方向へ延在している。第２の脚部１３ｃの鉛直方向における長さは、背面体１１の鉛直方向における長さから、第２の側面体１３の鉛直方向における長さを減じた長さである。
【００８０】
なお、第３実施形態の変形例に係るパーティション１は、第２の側面体１３の先端部の第１の側面体１２側の面１３ｂは、第２の辺と平行な方向から見た場合（即ち、Ｚ軸負方向へ向かってパーティション１を見た場合）において、屈曲しないように（即ち、１つの平面を構成するように）形成されていてもよい。
【００８１】
また、第３実施形態の他の変形例に係るパーティション１は、パーティション１を水平方向にて移動可能とするように、キャスターを備えていてもよい。キャスターは、パーティション１の底面（Ｚ軸負方向側の面）に配設される。
【００８２】
＜第４実施形態＞
次に、本発明の第４実施形態に係るパーティションについて説明する。第４実施形態に係るパーティションは、上記第３実施形態に係るパーティションに対して、第１の側面体、及び、第２の側面体のそれぞれの鉛直下方向側に配設された補助体を備える点において相違している。従って、以下、かかる相違点を中心として説明する。
【００８３】
第４実施形態に係るパーティション１は、図１０及び図１１に示したように、第３実施形態に係るパーティション１が備える、第１の脚部１２ｃ、及び、第２の脚部１３ｃに代えて、第１の補助体１２ｄ、及び、第２の補助体１３ｄを備える。
【００８４】
第１の補助体１２ｄは、平板状の透明な部材である。第１の補助体１２ｄは、鉛直下方向側にて第１の側面体１２と連接し、且つ、第１の側面体１２と同一の平面を形成するようにパーティション１に配設されている。
【００８５】
第２の補助体１３ｄは、平板状の透明な部材である。第２の補助体１３ｄは、鉛直下方向側にて第２の側面体１３と連接し、且つ、第２の側面体１３と同一の平面を形成するようにパーティション１に配設されている。
【００８６】
これによれば、第１の補助体１２ｄ、及び、第２の補助体１３ｄが、パーティション内の位置とパーティション外の位置との間の空気の流れを遮断する。従って、第１の補助体１２ｄ、及び、第２の補助体１３ｄを備えない場合と比較して、ユーザがウィルス又は菌等に感染するリスクを低減することができる。
【００８７】
更に、第１の補助体１２ｄ、及び、第２の補助体１３ｄは、透明である。従って、第１の補助体１２ｄ、及び、第２の補助体１３ｄが透明でない場合よりもユーザが感じる圧迫感を抑制することができる。
【００８８】
なお、第４実施形態の変形例に係るパーティション１は、第２の側面体１３の先端部の第１の側面体１２側の面１３ｂは、第２の辺と平行な方向から見た場合（即ち、Ｚ軸負方向へ向かってパーティション１を見た場合）において、屈曲しないように（即ち、１つの平面を構成するように）形成されていてもよい。
【００８９】
また、第４実施形態の他の変形例に係るパーティション１は、パーティション１を水平方向にて移動可能とするように、キャスターを備えていてもよい。キャスターは、パーティション１の底面（Ｚ軸負方向側の面）に配設される。
【００９０】
＜第５実施形態＞
次に、本発明の第５実施形態に係るパーティションについて説明する。第５実施形態に係るパーティションは、上記第１実施形態に係るパーティションに対して、内部空間におけるファン１１ｂ２と吹出口１２ａとの間の位置にて、当該内部空間と連通し且つ開口する調整口を備える点において相違している。従って、以下、かかる相違点を中心として説明する。
【００９１】
第５実施形態に係る背面体１１のＹ軸負方向側の面（即ち、第１の側面体１２及び第２の側面体１３が伸びる方向（Ｙ軸正方向）と反対側の面）には、図１２に示したように、調整口１１ｃが形成されている。
【００９２】
調整口１１ｃは、内部空間における、ファン１１ｂ２と吹出口１２ａとの間の位置にて、当該内部空間と連通し且つ開口している。
【００９３】
ところで、吹出口１２ａから吹き出される空気の量が、吸込口１３ａから吸い込まれる空気の量よりも過度に多くなる場合がある。この場合、吹出口１２ａから吹き出された空気のうちの、吸込口１３ａから吸い込まれなかった空気の流れによってユーザに当たる風が比較的強くなる虞がある。
【００９４】
これに対し、上記構成によれば、内部空間内の空気の一部が調整口１１ｃから排出されるので、吹出口１２ａから吹き出される空気の量が過度に多くなることを防止することができる。この結果、ユーザに当たる風が比較的強くなることを防止することができる。
【００９５】
更に、パーティション１は、調整口１１ｃ内に配設された流量調整弁（流量調整手段）１１ｄを備える。流量調整弁１１ｄは、調整口１１ｃを通過する空気の流量を調整する。
【００９６】
これによれば、調整口１１ｃを通過する空気の流量を適切に調整することにより、ウィルス又は菌等に感染するリスクをユーザのすべてに対して十分に低減しながら、ユーザに当たる風をより一層確実に低減することができる。
【００９７】
なお、第５実施形態の変形例に係るパーティション１において、調整口は、第１の側面体１２のＸ軸負方向側の面（即ち、第２の側面体１３側と反対側の面）に形成されていてもよい。また、第５実施形態の他の変形例に係るパーティション１において、調整口は、背面体１１のＹ軸負方向側の面と、第１の側面体１２のＸ軸負方向側の面と、のそれぞれに形成されていてもよい。
【００９８】
また、第５実施形態の他の変形例に係るパーティション１は、流量調整手段を備えていなくてもよい。
【００９９】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１００】
例えば、上記各実施形態においては、Ｘ軸負方向側に第１の側面体１２が配設され、且つ、Ｘ軸正方向側に第２の側面体１３が配設されていたが、Ｘ軸正方向側に第１の側面体１２が配設され、且つ、Ｘ軸負方向側に第２の側面体１３が配設されていてもよい。
【０１０１】
また、上記各実施形態においては、第１の側面体１２のＹ軸方向における長さが、第２の側面体１３のＹ軸方向における長さよりも長いが、第１の側面体１２のＹ軸方向における長さと、第２の側面体１３のＹ軸方向における長さと、が等しくてもよい。また、第１の側面体１２のＹ軸方向における長さが、第２の側面体１３のＹ軸方向における長さよりも短くてもよい。
【０１０２】
また、上記実施形態の他の変形例として、上述した実施形態及び変形例の任意の組み合わせが採用されてもよい。
【０１０３】
＜付記＞
上記実施形態の一部又は全部は、以下の付記のように記載され得るが、以下には限られない。
【０１０４】
（付記１）
パーティションであって、
正面視において互いに平行な、第１の辺及び第２の辺を有する平板状の背面体と、
前記第１の辺の少なくとも一部である第１の基部から、前記背面体に略直交する方向へ延在する平板状の第１の側面体と、
前記第２の辺の少なくとも一部である第２の基部から、前記背面体に略直交する方向へ延在する平板状の第２の側面体と、
を備え、
前記第１の側面体の内部には、当該第１の側面体内部空間が形成され、
前記背面体の内部には、前記第１の側面体内部空間と連通する背面体内部空間が形成され、
前記第２の側面体の内部には、前記背面体内部空間と連通する第２の側面体内部空間が形成され、
前記第１の側面体の先端部には、前記第１の側面体内部空間と連通し、且つ、前記第２の側面体の先端部へ向けて開口する吹出口が形成され、
前記第２の側面体の先端部には、前記第２の側面体内部空間と連通し、且つ、前記吹出口から吹き出された空気を吸い込むように、当該吹出口へ向けて開口する吸込口が形成され、
前記パーティションは、更に、
前記背面体内部空間、前記第１の側面体内部空間、及び、前記第２の側面体内部空間からなる内部空間において、前記吸込口から前記吹出口へ送風する送風手段を備えるパーティション。
【０１０５】
これによれば、第１の辺と平行な方向から見た場合において、吹出口と吸込口とを結ぶ直線を挟んで、第１のユーザと第２のユーザとが対面するように位置している場合、吹出口から吸込口へ流れる空気の流れによって、第１のユーザと第２のユーザとの間の空気の流れは遮断される。これにより、第１のユーザ及び第２のユーザの一方から発せられたウィルス又は菌等が、第１のユーザ及び第２のユーザの他方へ到達する可能性を低減することができる。
【０１０６】
更に、上記パーティションによれば、第１のユーザ、及び、第２のユーザのいずれにも、直接に比較的多量の風が当たることを回避することができる。
【０１０７】
このように、上記パーティションによれば、ユーザに当たる風を抑制するとともに、ウィルス又は菌等に感染するリスクをユーザのすべてに対して低減することができる。
【０１０８】
（付記２）
付記１に記載のパーティションであって、
前記第１の側面体の、前記背面体に直交する方向における長さが、前記第２の側面体の、当該背面体に直交する方向における長さよりも短くなるように形成されたパーティション。
【０１０９】
ところで、吹出口から吹き出された空気は、空気が流れる方向に直交する方向において拡散しながら、第２の側面体の先端部へ到達する。ところで、上記パーティションは、第２の側面体の方が長い。従って、吹出口から吹き出された空気が、吸込口から吸い込まれる量を多くすることができる。この結果、吹出口から吸込口への空気の流れ以外の空気の流れをより一層抑制することができる。
【０１１０】
また、上記パーティションは、第１の側面体の方が短い。従って、ユーザは、第１の辺と平行な方向から見た場合において、吹出口と吸込口とを結ぶ直線よりも背面体側の、パーティションにより取り囲まれた位置（パーティション内の位置）と、パーティション内の位置以外の位置（パーティション外の位置）と、の間を、第１の側面体の先端の外周を回り込んで容易に移動することができる。
【０１１１】
（付記３）
付記１又は付記２に記載のパーティションであって、
前記第１の側面体と前記背面体との間の角度が、９０度よりも大きくなるように形成されたパーティション。
【０１１２】
これによれば、ユーザがパーティション内の位置に位置している場合において、第１の側面体が見えることによりユーザが感じる圧迫感を、第１の側面体と背面体との間の角度が９０度である場合よりも抑制することができる。
【０１１３】
更に、上記のように構成されたパーティションによれば、ユーザは、第１の側面体と背面体との間の角度が９０度である場合よりも、より一層容易に、パーティション内の位置とパーティション外の位置との間を移動することができる。
【０１１４】
（付記４）
付記１乃至付記３のいずれかに記載のパーティションであって、
前記第２の側面体の先端部の前記第１の側面体側の面は、前記第２の辺と平行な方向から見た場合において、基端から先端へ向かうにつれて当該第１の側面体側へ、屈曲又は湾曲するように形成されたパーティション。
【０１１５】
これによれば、吹出口から吹き出された空気が、吸込口から吸い込まれる量をより一層多くすることができる。この結果、吹出口から吸込口への空気の流れ以外の空気の流れをより一層確実に抑制することができる。
【０１１６】
（付記５）
付記１乃至付記４のいずれかに記載のパーティションであって、
前記吹出口の開口形状は、前記第１の辺と平行な方向に伸びるスリット状であるパーティション。
【０１１７】
（付記６）
付記１乃至付記５のいずれかに記載のパーティションであって、
前記第１の側面体の、前記第１の辺と平行な方向における長さと、前記第２の側面体の、前記第２の辺と平行な方向における長さと、が略等しくなるように形成されたパーティション。
【０１１８】
（付記７）
付記１乃至付記６のいずれかに記載のパーティションであって、
前記第１の辺、及び、前記第２の辺が鉛直方向に沿って伸びるように形成され、
前記第１の基部は、前記第１の辺の鉛直上方向側の一端から、当該第１の辺の他端よりも当該一端側の位置までの部分であり、
前記第２の基部は、前記第２の辺の鉛直上方向側の一端から、当該第２の辺の他端よりも当該一端側の位置までの部分であるパーティション。
【０１１９】
これによれば、第１の基部が第１の辺の全体である場合よりも、第１の側面体が見えることによりユーザが感じる圧迫感を抑制することができる。更に、第２の基部が第２の辺の全体である場合よりも、第２の側面体が見えることによりユーザが感じる圧迫感を抑制することができる。
【０１２０】
（付記８）
付記７に記載のパーティションであって、
透明であるとともに、鉛直下方向側にて前記第１の側面体と連接し且つ当該第１の側面体と同一の平面を形成する平板状の第１の補助体と、
透明であるとともに、鉛直下方向側にて前記第２の側面体と連接し且つ当該第２の側面体と同一の平面を形成する平板状の第２の補助体と、
を備えるパーティション。
【０１２１】
これによれば、第１の補助体、及び、第２の補助体が、パーティション内の位置とパーティション外の位置との間の空気の流れを遮断する。従って、第１の補助体、及び、第２の補助体を備えない場合と比較して、ユーザがウィルス又は菌等に感染するリスクを低減することができる。更に、第１の補助体、及び、第２の補助体は、透明である。従って、第１の補助体、及び、第２の補助体が透明でない場合よりもユーザが感じる圧迫感を抑制することができる。
【０１２２】
（付記９）
付記１乃至付記８のいずれかに記載のパーティションであって、
前記第１の辺と平行な方向から見た場合において、ユーザの少なくとも一部が、前記吹出口と前記吸込口とを結ぶ直線よりも前記背面体側の予め定められた検出位置に位置しているか否かを検出するユーザ検出手段と、
前記ユーザの少なくとも一部が前記検出位置に位置していないと検出されていた状態から、当該ユーザの少なくとも一部が当該検出位置に位置していると検出された状態へ変化した場合、前記送風手段による送風を開始する送風制御手段と、
を備えるパーティション。
【０１２３】
これによれば、上記パーティションは、ユーザがパーティション外の位置からパーティション内の位置へ移動した場合、自動的に送風を開始する。これにより、ユーザがウィルス又は菌等に感染するリスクを、より一層確実に低減することができる。
【０１２４】
（付記１０）
付記９に記載のパーティションであって、
前記送風制御手段は、前記ユーザの少なくとも一部が前記検出位置に位置していると検出されていた状態から、当該ユーザの少なくとも一部が当該検出位置に位置していないと検出された状態へ変化した場合、前記送風手段による送風を停止するように構成されたパーティション。
【０１２５】
これによれば、上記パーティションは、ユーザがパーティション内の位置からパーティション外の位置へ移動した場合、自動的に送風を停止する。これにより、無駄に送風が行われることを回避することができる。
【０１２６】
（付記１１）
付記１乃至付記１０のいずれかに記載のパーティションであって、
前記背面体の、前記第１の側面体及び前記第２の側面体が伸びる方向と反対側の面、並びに、前記第１の側面体の、前記第２の側面体側と反対側の面、の少なくとも一方には、前記内部空間における、前記送風手段と前記吹出口との間の位置にて、当該内部空間と連通し且つ開口する調整口が形成されたパーティション。
【０１２７】
ところで、吹出口から吹き出される空気の量が、吸込口から吸い込まれる空気の量よりも過度に多くなる場合がある。この場合、吹出口から吹き出された空気のうちの、吸込口から吸い込まれなかった空気の流れによってユーザに当たる風が比較的強くなる虞がある。
【０１２８】
これに対し、上記構成によれば、内部空間内の空気の一部が調整口から排出されるので、吹出口から吹き出される空気の量が過度に多くなることを防止することができる。この結果、ユーザに当たる風が比較的強くなることを防止することができる。
【０１２９】
（付記１２）
付記１１に記載のパーティションであって、
前記調整口を通過する空気の流量を調整する流量調整手段を備えるパーティション。
【０１３０】
これによれば、調整口を通過する空気の流量を適切に調整することにより、ウィルス又は菌等に感染するリスクをユーザのすべてに対して十分に低減しながら、ユーザに当たる風をより一層確実に低減することができる。
【０１３１】
（付記１３）
付記１乃至付記１０のいずれかに記載のパーティションであって、
前記送風手段は、第１のファンと、当該第１のファンよりも前記吹出口側に配置された第２のファンと、を備え、
前記第２のファンの風量が前記第１のファンの風量よりも小さくなるように構成されたパーティション。
【０１３２】
ところで、吹出口から吹き出される空気の量が、吸込口から吸い込まれる空気の量よりも過度に多くなる場合がある。この場合、吹出口から吹き出された空気のうちの、吸込口から吸い込まれなかった空気の流れによってユーザに当たる風が比較的強くなる虞がある。
【０１３３】
これに対し、上記構成によれば、第２のファンの風量が第１のファンの風量と等しい場合よりも、吹出口から吹き出される空気の量が低減されるので、吹出口から吹き出される空気の量が過度に多くなることを防止することができる。この結果、ユーザに当たる風が比較的強くなることを防止することができる。
【産業上の利用可能性】
【０１３４】
本発明は、病院等において用いられるパーティション等に適用可能である。
【符号の説明】
【０１３５】
１      パーティション
１１    背面体
１１ａ  フィルタ
１１ｂ１，１１ｂ２  ファン
１１ｃ  調整口
１１ｄ  流量調整弁
１２    第１の側面体
１２ａ  吹出口
１２ｂ  人感センサ
１２ｃ  第１の脚部
１２ｄ  第１の補助体
１３    第２の側面体
１３ａ  吸込口
１３ｂ  面
１３ｃ  第２の脚部
１３ｄ  第２の補助体
Ｃ      椅子
ＳＰ１  第１の側面体内部空間
ＳＰ２  背面体内部空間
ＳＰ３  第２の側面体内部空間
Ｕ      ユーザ
【図１】
0005763413.tif 000002
【図２】
0005763413.tif 000003
【図３】
0005763413.tif 000004
【図４】
0005763413.tif 000005
【図５】
0005763413.tif 000006
【図６】
0005763413.tif 000007
【図７】
0005763413.tif 000008
【図８】
0005763413.tif 000009
【図９】
0005763413.tif 000010
【図１０】
0005763413.tif 000011
【図１１】
0005763413.tif 000012
【図１２】
0005763413.tif 000013